(57)【要約】      （修正有）【課題】一般家庭の室内小型犬を清潔に保つためのお散歩後の足洗い機を例供する。【解決手段】ドーム型の容器１はアクリル製で底板７は２重構造となっており、イオン水発生装置５がついており、ドームの天井には殺菌用のＬＥＤライト２がある。散歩後、犬を入り口３から入ることで、イオン水５で足の汚れが落ち、ＬＥＤライト２により毛に付着した雑菌を殺菌できる。出口にあるスポンジ９に手足についた水分を吸収させて出口４から室内に放す。【選択図】図１
2017046680.tif 000002
【特許請求の範囲】
【請求項１】
容器は、ドーム型のアクリル製で、アルミ製の底面は二重構造になっていて浮板（ステンレス製）の周囲から、イオン水、又は温水が、湧き出て８ｃｍ程、足がつかる。イオン水は循環して足の汚れがとれる。同時にドーム型の天井から丸いＬＥＤライトの殺菌灯で、１０秒間だけ毛の表面に付着した雑菌を殺菌する。出口は、防止策があり、足洗いと、毛の殺菌で、全行程３分間位で完了。飛び出し防止柵の前で、足元の吸水スポンジを踏んで、足に着いた水分を吸水した後、前面のドアを開けて室内に放す。
室内犬は、正に、人間と共に暮らし、家族同様に居室などに、一緒にいるのですから、予防接種と同様にもっと衛生面に気を付ける観点から、コンパクトで低コストにして、家庭に一台設置出来るよう工夫された考案です。
【発明の詳細な説明】
【発明の詳細な説明】
【技術分野】
【０００１】本発明は、一般家庭に於いて室内小型犬を清潔に保つためのお散歩後の足洗い機に関する分野である。
【背景技術】
【０００２】戸外に散歩后、足や、毛に付いた汚れと、雑菌を殺菌して室内に入る。
（１）散歩の後の、足の汚れについては、足元からイオン水が湧き出る。
（２）散歩の後、毛に着いた雑菌は、ブルー殺菌灯を（特許文献参照）上部から、１０秒間当てる（近距離からではなく、ブルーの光は上から当たる様ドーム型にする。）（１）と（２）を同時にする。
（３）給水スポンジの上を足踏みさせる。
【先行技術文献】
【特許文献】
【０００３】
【特許文献１】ブルーの殺菌灯  実在する品名
【発明の概要】
【発明が解決しようとする課題】
【０００４】室内で人と一緒に暮らすうえで、衛生面では、必ずしも衛生が保たれているとは言えません。人間にとって大変気になる事であり、可愛さあまりに目をつぶっている、現場で、本当は困った大きな課題のひとつである。少しでも清潔な状態で、犬も人間も安心して過ごせる様になりたいものです。
もうひとつ、自分の体を洗ってもらった後はとてもうれしそうにする。猫と同じで手足をいつも舐めていて、とてもきれい好きです。
やはり、お散歩から帰った時など、こんな時にこのお散歩スルーがあれば、何時でも簡単に３分間できれいになります。
【課題を解決するための手段】
【０００５】  このお散歩スルーがあれば、室内に入る時に、むりやり足を掴んで洗ったりしなくても人間も、犬も楽々です。
お散歩がもっと楽しくなるでしょう。
【発明の効果】
【０００６】小型でコストも安く、簡単に何処にでも移動できて、手軽に使用出来て、衛生面で大きな効果が得られる。
【図面の簡単な説明】
【図１】「全体を示した斜面図です。」
【図２】「全体を示した平面図です。」
【図３】「全体を示した側面図です。」
【発明を実施するための形態】
【実施例】〔図１〕の示す様に、全体の斜面図です。
【産業上の利用可能性】ペットショップ、ホームセンター、ネット販売等でＰＲ展開。
【図１】
2017046680.tif 000003
【図２】
2017046680.tif 000004
【図３】
2017046680.tif 000005
【手続補正書】
【提出日】平成27年11月28日(2015.11.28)
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明は、一般家庭に於いて室内小型犬を清潔に保つためのお散歩後の足洗い機に関する分野である。
【背景技術】
【０００２】戸外に散歩后、足や、毛に付いた汚れと、雑菌を殺菌して室内に入る。
（１）散歩の後の、足の汚れについては、足元からイオン水が湧き出る。
（２）散歩の後、毛に着いた雑菌は、ブルー殺菌灯を（特許文献参照）上部から、１０秒間当てる（近距離からではなく、ブルーの光は上から当たる様ドーム型にする。）（１）と（２）を同時にする。
（３）給水スポンジの上を足踏みさせる。
【先行技術文献】
【特許文献】
【０００３】
【特許文献１】ブルーの殺菌灯  実在する品名
【発明の概要】
【発明が解決しようとする課題】
【０００４】室内で人と一緒に暮らすうえで、衛生面では、必ずしも衛生が保たれているとは言えません。人間にとって大変気になる事であり、可愛さあまりに目をつぶっている、現場で、本当は困った大きな課題のひとつである。
少しでも清潔な状態で、犬も人間も安心して過ごせる様になりたいものです。
もうひとつ、自分の体を洗ってもらった後はとてもうれしそうにする。猫と同じで手足をいつも舐めていて、とてもきれい好きです。
やはり、お散歩から帰った時など、こんな時にこのお散歩スルーがあれば、何時でも簡単に３分間できれいになります。
【課題を解決するための手段】
【０００５】  このお散歩スルーがあれば、室内に入る時に、むりやり足を掴んで洗ったりしなくても人間も、犬も楽々です。
お散歩がもっと楽しくなるでしょう。
【発明の効果】
【０００６】小型でコストも安く、簡単に何処にでも移動できて、手軽に使用出来て、衛生面で大きな効果が得られる。
【図面の簡単な説明】
【０００７】
【図１】「全体を示した斜面図です。」
【図２】「全体を示した平面図です。」
【図３】「全体を示した側面図です。」
【発明を実施するための形態】
【実施例】
【０００８】〔図１〕の示す様に、全体の斜面図です。
【産業上の利用可能性】
【０００９】ペットショップ、ホームセンター、ネット販売等でＰＲ展開。
【手続補正２】
【補正対象書類名】特許請求の範囲
【補正対象項目名】全文
【補正方法】変更
【補正の内容】
【特許請求の範囲】
【請求項１】
容器は、ドーム型のアクリル製で、アルミ製の底面は二重構造になっていて浮板（ステンレス製）の周囲から、マイナスイオン水、又は温水が、湧き出て８ｃｍ程、足がつかる。マイナスイオン水は循環して足の汚れがとれる。同時にドーム型の天井から丸いブルーの殺菌灯で、１０秒間だけ毛の表面に付着した雑菌を殺菌する。出口は、防止策があり、足洗いと、毛の殺菌で、全行程３分間位で完了。飛び出し防止柵の前で、足元の吸水スポンジを踏んで、足に着いた水分を吸水した後、前面のドアを開けて室内に放す。
室内犬は、正に、人間と共に暮らし、家族同様に居室などに、一緒にいるのですから、予防接種と同様にもっと衛生面に気を付ける観点から、コンパクトで低コストにして、家庭に一台設置出来るよう工夫された考案です。
【手続補正４】
【補正対象書類名】図面
【補正対象項目名】全図
【補正方法】変更
【補正の内容】
【図１】
2017046680.tif 000006
【図２】
2017046680.tif 000007
【図３】
2017046680.tif 000008
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
方法の手順と新規性
Ａ．容器は、ドーム型のアクリル製のもので二重底になつていて、
Ｂ．上の部分は外側より少し小さめのステンレス製で、その上に
Ｃ．散歩から帰った犬を乗せて、給水口より出た水は、イオン発生器でイオン水となり循環しながらその犬の足を除菌、汚れを落として、汚れた水はステンレス製の板の周りから外側の底にある排水口から出て、しかし８センチは足が浸かる様に水の加減をしながら、
Ｄ．その足を洗うと同時に、上部から犬の背中へ、ブルーの殺菌灯を３〜１０秒当てて、毛の表面に付着した菌を殺菌するので、
Ｅ．足と毛を、同時進行で、汚れを落として、飛び出し防止柵から犬を出して、強力吸水スポンジで吸水して、前面のドアを開けて、犬を容器より出すと、全行程３分で終了する。